【手続補正書】
【提出日】平成19年6月19日(2007.6.19)
【手続補正１】
【補正対象書類名】特許請求の範囲
【補正対象項目名】全文
【補正方法】変更
【補正の内容】
【特許請求の範囲】
【請求項１】
ファイル形式でデータを送信するWebサーバにアクセスするアクセス手段と、
データを印刷する印刷手段と、
前記アクセス手段により前記Webサーバにアクセスして得られたファイルの種類が予め定められた種類である場合、該ファイル内のデータが印刷されるように前記印刷手段を制御する制御手段と、
を備えた印刷装置。
【請求項２】
前記制御手段は、前記アクセス手段により前記Webサーバにアクセスして得られたファイルの種類が予め定められた種類である場合、該ファイル内のデータが自動的に印刷されるように前記印刷手段を制御することを特徴とする請求項１記載の印刷装置。
【請求項３】
前記アクセス手段により前記Webサーバにアクセスして得られたファイルの種類が予め定められた種類である場合に、該ファイル内のデータを印刷するか否かを問合せる問合せ手段と、
前記問合せ手段による問合せに回答するための回答手段と、
を更に備え、
前記制御手段は、前記回答手段により前記ファイル内のデータを印刷するように回答された場合、該ファイル内のデータが印刷されるように前記印刷手段を制御することを特徴とする請求項１記載の印刷装置。
【請求項４】
前記制御手段は、前記ファイルを開かずに該ファイル内のデータが印刷されるように前記印刷手段を制御することを特徴とする請求項１から請求項３の何れか１項に記載の印刷装置。
【請求項５】
予め定められた種類のファイル内のデータを印刷するための第１のプログラムと表示するための第２のプログラムのうち、第１のプログラムのみを記憶する記憶手段を備え、
前記制御手段は、前記記憶手段に記憶された前記第１のプログラムに従って、前記ファイル内のデータが印刷されるように前記印刷手段を制御することを特徴とする請求項１から請求項４の何れか１項に記載の印刷装置。
【請求項６】
請求項１から請求項５の何れか1項に記載の印刷装置からアクセスされるWebサーバであって、
前記印刷装置からアクセスされたファイルの種類が予め定められた種類か否かを判断する判断手段と、
前記判断手段により、前記ファイルの種類が予め定められた種類でないと判断された場合、前記ファイルを前記予め定められた種類のファイルに変換する変換手段と、
前記変換手段により変換されたファイルを前記印刷装置に送信する送信手段と、
を有するWebサーバ。
【請求項７】
請求項１から請求項５の何れか1項に記載の印刷装置と該印刷装置からアクセスされるWebサーバとの間を中継する中継サーバであって、
前記印刷装置からアクセスされ、前記Webサーバから送信されたファイルの種類が予め定められた種類か否かを判断する判断手段と、
前記判断手段により、前記ファイルの種類が予め定められた種類でないと判断された場合、前記ファイルを前記予め定められた種類のファイルに変換する変換手段と、
前記変換手段により変換されたファイルを前記印刷装置に送信する送信手段と、
を有する中継サーバ。
【請求項８】
アクセス手段と、制御手段と、データを印刷する印刷手段とを備えた印刷装置における印刷方法であって、
前記アクセス手段が、ファイル形式でデータを送信するWebサーバにアクセスし、
前記制御手段が、前記アクセス手段により前記Webサーバにアクセスして得られたファイルの種類が予め定められた種類である場合、該ファイル内のデータが印刷されるように前記印刷手段を制御することを特徴とする印刷方法。
【請求項９】
判断手段と、変換手段と、送信手段とを備えた、請求項１から請求項５の何れか1項に記載の印刷装置からアクセスされるWebサーバにおけるファイル送信方法であって、
前記判断手段が、前記印刷装置からアクセスされたファイルの種類が予め定められた種類か否かを判断し、
前記変換手段が、前記判断手段により、前記ファイルの種類が予め定められた種類でないと判断された場合、前記ファイルを前記予め定められた種類のファイルに変換し、
前記送信手段が、前記変換手段により変換されたファイルを前記印刷装置に送信することを特徴とするファイル送信方法。
【請求項１０】
判断手段と、変換手段と、送信手段とを備えた、請求項１から請求項５の何れか1項に記載の印刷装置と該印刷装置からアクセスされるWebサーバとの間を中継する中継サーバにおけるファイル送信方法であって、
前記判断手段が、前記印刷装置からアクセスされ、前記Webサーバから送信されたファイルの種類が予め定められた種類か否かを判断し、
前記変換手段が、前記判断手段により、前記ファイルの種類が予め定められた種類でないと判断された場合、前記ファイルを前記予め定められた種類のファイルに変換し、
前記送信手段が、前記変換手段により変換されたファイルを前記印刷装置に送信することを特徴とするファイル送信方法。
【手続補正２】
【補正対象書類名】明細書
【補正対象項目名】発明の名称
【補正方法】変更
【補正の内容】
【発明の名称】印刷装置、Webサーバ、中継サーバ、印刷方法及びファイル送信方法
【手続補正３】
【補正対象書類名】明細書
【補正対象項目名】０００５
【補正方法】変更
【補正の内容】
【０００５】
上記目的を達成するために請求項１に記載の発明にかかる印刷装置は、ファイル形式でデータを送信するWebサーバにアクセスするアクセス手段と、データを印刷する印刷手段と、前記アクセス手段により前記Webサーバにアクセスして得られたファイルの種類が予め定められた種類である場合、該ファイル内のデータが印刷されるように前記印刷手段を制御する制御手段と、を備えている。
また、請求項８の発明は、アクセス手段と、制御手段と、データを印刷する印刷手段とを備えた印刷装置における印刷方法であって、前記アクセス手段が、ファイル形式でデータを送信するWebサーバにアクセスし、前記制御手段が、前記アクセス手段により前記Webサーバにアクセスして得られたファイルの種類が予め定められた種類である場合、該ファイル内のデータが印刷されるように前記印刷手段を制御することを特徴としている。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】変更
【補正の内容】
【０００８】
そして、制御手段は、アクセス手段によりWebサーバにアクセスして得られたファイルの種類が予め定められた種類である場合、該ファイル内のデータが印刷されるように印刷手段を制御する。
【手続補正６】
【補正対象書類名】明細書
【補正対象項目名】０００９
【補正方法】変更
【補正の内容】
【０００９】
このように、本印刷装置からWebサーバにアクセスして得られたファイルの種類が予め定められた種類である場合、該ファイル内のデータを印刷するので、パソコンを用いてWebサーバにアクセスしてデータを得て印刷装置で印刷しなくて済み、装置構成を簡単にすることができる。
【手続補正７】
【補正対象書類名】明細書
【補正対象項目名】００１０
【補正方法】変更
【補正の内容】
【００１０】
ここで、上記制御手段は、請求項２のように、アクセス手段によりWebサーバにアクセスして得られたファイルの種類が予め定められた種類である場合、該ファイル内のデータが自動的に印刷されるように印刷手段を制御してもよい。
【手続補正８】
【補正対象書類名】明細書
【補正対象項目名】００１１
【補正方法】変更
【補正の内容】
【００１１】
また、請求項３のように、アクセス手段によりWebサーバにアクセスして得られたファイルの種類が予め定められた種類である場合に、該ファイル内のデータを印刷するか否かを問合せる問合せ手段と、前記問合せ手段による問合せに回答するための回答手段と、を更に備え、前記制御手段は、前記回答手段により前記ファイル内のデータを印刷するように回答された場合、該ファイル内のデータが印刷されるように前記印刷手段を制御するようにしてもよい。
【手続補正９】
【補正対象書類名】明細書
【補正対象項目名】００１８
【補正方法】変更
【補正の内容】
【００１８】
請求項６記載の発明にかかるWebサーバは、請求項１乃至請求項５の何れか1項に記載の印刷装置からアクセスされるWebサーバであって、前記印刷装置からアクセスされらファイルの種類が予め定められた種類か否かを判断する判断手段と、前記判断手段により、前記ファイルの種類が予め定められた種類でないと判断された場合、前記ファイルを前記予め定められた種類のファイルに変換する変換手段と、前記変換手段により変換されたファイルを前記印刷装置に送信する送信手段と、を有する。
また、請求項９の発明は、判断手段と、変換手段と、送信手段とを備えた、請求項１から請求項５の何れか1項に記載の印刷装置からアクセスされるWebサーバにおけるファイル送信方法であって、前記判断手段が、前記印刷装置からアクセスされたファイルの種類が予め定められた種類か否かを判断し、前記変換手段が、前記判断手段により、前記ファイルの種類が予め定められた種類でないと判断された場合、前記ファイルを前記予め定められた種類のファイルに変換し、前記送信手段が、前記変換手段により変換されたファイルを前記印刷装置に送信することを特徴としている。
【手続補正１０】
【補正対象書類名】明細書
【補正対象項目名】００１９
【補正方法】変更
【補正の内容】
【００１９】
このように、印刷装置からアクセスされらファイルの種類が予め定められた種類でない場合、該ファイルを予め定められた種類のファイルに変換して印刷装置に送信するので、印刷装置側に変換手段等を備えなくてもよく、印刷装置を簡略化することができる。
【手続補正１１】
【補正対象書類名】明細書
【補正対象項目名】００２２
【補正方法】変更
【補正の内容】
【００２２】
そこで、請求項７記載の発明は、請求項１乃至請求項５の何れか1項に記載の印刷装置と該印刷装置からアクセスされるWebサーバとの間を中継する中継サーバであって、前記印刷装置からアクセスされ、前記Webサーバから送信されたファイルの種類が予め定められた種類か否かを判断する判断手段と、前記判断手段により、前記ファイルの種類が予め定められた種類でないと判断された場合、前記ファイルを前記予め定められた種類のファイルに変換する変換手段と、前記変換手段により変換されたファイルを前記印刷装置に送信する送信手段と、を有するようにしている。
また、請求項１０の発明は、判断手段と、変換手段と、送信手段とを備えた、請求項１から請求項５の何れか1項に記載の印刷装置と該印刷装置からアクセスされるWebサーバとの間を中継する中継サーバにおけるファイル送信方法であって、前記判断手段が、前記印刷装置からアクセスされ、前記Webサーバから送信されたファイルの種類が予め定められた種類か否かを判断し、前記変換手段が、前記判断手段により、前記ファイルの種類が予め定められた種類でないと判断された場合、前記ファイルを前記予め定められた種類のファイルに変換し、前記送信手段が、前記変換手段により変換されたファイルを前記印刷装置に送信することを特徴としている。
【手続補正１２】
【補正対象書類名】明細書
【補正対象項目名】００４４
【補正方法】変更
【補正の内容】
【００４４】
ステップ９６で、上記要求に従ってWebサーバ１６から送信された当該ファイルデータを受信したが否かを判断する。Webサーバ１６からファイルデータを受信したと判断した場合に、ステップ９８で、受信したファイルデータの属性データと、上記ステップ８６で記憶した複合機１２が利用可能なファイルの種類を識別するＩＤと、に基づいて、受信したファイルのデータは、複合機１２が利用可能か否かを判断する。